(57)【要約】      （修正有）【課題】芝生地へのエアレーションの作業負担を大幅に軽減し、硬く乾燥した土地であっても、より効率的に穴あけすることができ、しかも経済的に導入できる新たなエアレーター技術を提供する。【解決手段】装着基端２０を有するボーリング用刃物２、管状体３の先端に、該ボーリング用刃物２装着基端２０用の刃物固定器３０を設け、同基端に連結部３３を設けた継ぎ手軸３、および、棒状体４の先端に、該継ぎ手軸３連結部３３に接続可能な被連結部４０を設け、同基端に、可搬型回転駆動源ＨＤ回転駆動軸ＤＳの工具用固定部Ｃ装着用の固定端４１を設けた従動軸４からなり、互いの対応箇所同士を同一軸心上着脱自在に接続可能とした、エアレーター装置１である。【選択図】図１
2016123355.tif 000002
【特許請求の範囲】
【請求項１】
装着基端を有するボーリング用刃物、および、所定長寸法棒状体の先端に該ボーリング用刃物装着基端用の刃物固定器を設け、同基端に可搬型回転駆動源回転駆動軸の工具用固定部装着用の固定端を設けた従動軸からなり、互いの対応箇所同士を同一軸心上着脱自在に接続可能としてなるものとしたことを特徴とするエアレーター装置。
【請求項２】
装着基端を有するボーリング用刃物、管状体の先端に該ボーリング用刃物装着基端用の刃物固定器を設け、同基端に連結部を設けた継ぎ手軸、および、棒状体の先端に該継ぎ手軸連結部に接続可能な被連結部を設け、同基端に可搬型回転駆動源回転駆動軸の工具用固定部装着用の固定端を設けた従動軸からなり、互いの対応箇所同士を同一軸心上着脱自在に接続可能としてなるものとしたことを特徴とするエアレーター装置。
【請求項３】
継ぎ手軸基端の連結部が、同管状体の中途適所から基端までの範囲に、長さ方向に沿い適宜間隔をもった複数箇所夫々に配した長さ調節器の調節部であり、従動軸先端の被連結部が、長さ調節器の長さ規制部となり、継ぎ手軸および従動軸の連結長さ寸法を調節可能、且つ同一軸心上着脱自在なものとしてなる、請求項２記載のエアレーター装置。
【請求項４】
可搬型回転駆動源の本体と一体化機構部を介して一体化可能とし、同可搬型回転駆動源の回転駆動軸を垂直姿勢とした場合、左右水平姿勢に延びる左右ハンドルバーを設けた装着枠を有し、該装着枠の可搬型回転駆動源の工具用固定部先端に対峙する箇所に、所定長寸法棒状体の先端に主回転伝達部を有し、同基端に、可搬型回転駆動源回転駆動軸の工具用固定部装着用の固定端を設けた延伸軸を、同固定端が工具用固定部に固定、且つ回転駆動自在とするよう軸着可能とし、該延伸軸先端の主回転伝達部周囲、左右均衡配置となる少なくとも２箇所に従回転部を設け、回転力分配器とし、該回転力分配器の各従回転部に、適宜長寸法棒状体の先端に、該ボーリング用刃物装着基端用の刃物固定器を設けた従動軸の基端を結合し、各従動軸刃物固定器に、ボーリング用刃物の装着基端を着脱自在に装着してなるものとしたことを特徴とするエアレーター装置。
【請求項５】
装着枠の従動軸近傍まで延伸した適所か、回転力分配器外壁か、それの近傍かの何れか適所に、自重または弾性部材の下向き付勢を受け、その昇降移動範囲を規制可能としたボーリング深さ規制器、および、該ボーリング深さ規制器の規制範囲に昇降移動自在とした接地プレートを有するボーリング案内装置を設けてなる、請求項４記載のエアレーター装置。
【請求項６】
可搬型回転駆動源としてのハンドドリルに、請求項１ないし５何れか一記載のエアレーター装置を組み込んでなるものとしたことを特徴とする手持ち型エアレーター。
【請求項７】
少なくとも１輪、望ましくは３輪以上を有しする車台枠上に、昇降誘導装置を介し、昇降ボックスを昇降自在とするよう搭載し、該昇降ボックスには、回転駆動源、同回転駆動源の出力軸に回転力分配器を設け、該回転力分配器に、適宜長寸法棒状体の先端に、該ボーリング用刃物装着基端用の刃物固定器を設けた複数本の従動軸の各基端を適宜間隔を隔てて垂下、結合し、各従動軸刃物固定器に、ボーリング用刃物の装着基端を着脱自在に装着した上、該昇降ボックスを昇降誘導装置の誘導に従うよう昇降操作可能とする昇降駆動装置を組み込んでなるものとした歩行型エアレーター。
【請求項８】
少なくとも１輪、望ましくは３輪以上を有し、適所に適宜高さまで延伸した手押し搬送用の走行ハンドルを立設した車台枠上に、昇降案内器および昇降範囲規制器を有する昇降誘導装置を介し、昇降ボックスを規制範囲内に昇降自在とするよう搭載し、該昇降ボックスには、回転駆動源、同回転駆動源の出力軸に設けた主回転伝達部、該主回転伝達部周囲に、回転力を伝達するよう配した複数の従回転部を設け、回転力分配器とし、該回転力分配器の各従回転部に、適宜長寸法棒状体の先端に、該ボーリング用刃物装着基端用の刃物固定器を設けた従動軸の基端を垂下結合し、各従動軸刃物固定器に、ボーリング用刃物の装着基端を着脱自在に装着した上、走行ハンドルの適所に、昇降ボックスを昇降誘導装置の誘導範囲に昇降操作可能とする梃レバー、吊り索および釣合錘を有する昇降駆動装置を組み込んでなるものとした歩行型エアレーター。                                                            
【発明の詳細な説明】
【技術分野】
【０００１】
この発明は、芝生のメンテナンス技術に関連するものであり、特に、ゴルフ場やスポーツ用グラウンド、公園、庭園、一般家庭の庭などの芝生地の更新に用いるエアレーターを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                
【背景技術】
【０００２】
（着目点）
公園やゴルフ場などで観る手入れの行き届いた芝生は、非常に美しく感動さえ覚えることがあり、このような美しい芝生にするには日頃より厳しい管理の下で手入れされており、手を抜けば瞬く間に雑草や病気、病害虫が蔓延るなどして芝生が枯れてしまうこととなり、美しい芝生を維持するには、適度な施肥によって充分な栄養を与え、成長を促し、頻繁に芝刈りをするようにすることが必要であり、芝生の主な管理作業には、水やり、除草、施肥、病気に対する殺菌消毒作業、葉や根を食べる害虫の殺虫作業、更には、根や葉の更新に欠かせないエアレーション（穴開け作業。以下、同様。）等がある。
【０００３】
ゴルフ場では、これまで乗用機械でエアレーションを行っていて、複数のダインというパイプ状の爪を芝生に突き刺し、コアと言われる土と根が絡まった７ｃｍ程度の長さの棒状となったものを地表に抜き出し、複数の穴を効率的に開けるようにしており、一般的住宅の庭などでは、主に人力による足踏み式で、両手でハンドルを持ち踏み台に足を乗せ、体重をかけて芝生にダインを突き刺し、１度に２個から３個のコアを抜きとり穴を開けるエアレーターが利用されることが多く、近年では乗用型ではないが、歩行型のエンジン式エアレーターも販売されるようになり、高額になるものの比較的楽にエアレーションが出来るようになってきている。
【０００４】
前記足踏み式のエアレーターは、両手でハンドルを握り、踏み台に片足を掛け一気に乗り込み全体重を乗せて穴を開けていくものとなっているが、乾燥している土壌は固く、体重を掛けても剌さらず、息を止め両足を乗せて２〜３回全体重を掛けて差し込まなければできないこともあって、このような手段によるものだと、１０か所位穴あけをした後に一休みしないと息が切れて体が持たず、作業時間も掛って気力も落ち込み、作業自体に嫌気が差してしまうこともあって、そのため、年１回の穴開け作業の予定を組みながら、その年の実行を諦めてしまって翌年回しにすることも少なくなく、そうなってしまうと、芝生は、盆栽のように植え替えや畑のように掘り起しができないため、年を追うごとに根が詰まって水捌けが悪くなり、特に西洋芝の場合には、夏に弱く、地中に水分が行き届かず枯らしてしまうことさえある。
【０００５】
また、掘り取られ、棒状となった土と根とからなるコアは、エアレーション後の芝生上に散乱してしまって見苦しく、放って置くと光や風通しが悪くなり芝生に悪影響を与え兼ねないことから、速やかに回収しなければならず、したがって、穴開け作業後には、これらコアを取り除かねばならないという面倒な作業までも増えることとなる。
【０００６】
これに対し、歩行型エンジン式エアレーターがあれば、確かに上記のような苦労なくして穴開け作業の実施はできるものの、機械装置自体が高価で（５０万円程）ある上に、芝に突き差す作業形態、即ち、同時に複数本のパイプ状刃物を打ち込む作業形態に由来して機械の総重量は重くなくてはならないことから軽量化は困難で、運搬の際には３〜４人の力がないと持ち上げ、移動するのが難しく、格納庫からの搬出入や作業中の移動その他作業負担は大きくて取扱いが困難なものとなっていた。
【０００７】
（従来の技術）
こうした状況を反映し、その打開策となるような提案もこれまでに散見されない訳ではない。
例えば、下記の特許文献１（１）および同特許文献１（２）に提案されているものに代表されるように、１人の作業者が、持ち運び可能な装置を垂直に支持するようハンドルを持ち、片足または両足でステップを踏み込むよう操作し、筒状の刃物（タイン）を地中に打ち込み、ステップから足を外して引き抜く作業を行うようにしたものであり、各筒状の刃物が、地中から抜き出した柱状の剔出物を、各刃物上部やその周囲に配した収容箱や回収器に回収し、作業後に芝生上に散乱したコアを回収掃除しなければならないという課題を解消し、さらに、筒状の刃物を打ち込む際に、回収器の底面などが自動的に芝生面を抑えるようにし、筒状の刃物を抜き出す際に、芝生が盛り上がるのを防止できるようにしたものがあり、また、同特許文献１（３）のような、筒状の刃物に置き換え可能な十字断面形の刃物とすることにより、強く絡み合い密集する芝生の根を効果的に切断可能としたもの、さらにはまた、同特許文献１（４）に見られるように、歩行型の車体を有し、移動しながら複数の棒状またはパイプ状の刃物を芝生地に連続的に打ち込んでエアレーションを行うことができ、より長い刃物を装備するようにすれば、手作業による場合に比較して、より深く穿孔可能とし、広大な芝生地を効率的にエアレーション可能となるようにしたものなどが散見される。
【０００８】
しかし、前者特許文献１（１）および１（２）に示されているような手持ち型のエアレーターは、従前からの過大な作業労力を要するという課題を解決するものとはなっておらず、依然として硬く乾燥した芝生地に打ち込む際などには、大変な労働負担を強いるものとなっており、同特許文献１（３）の十字断面形の刃物を利用したものは、芝生の強く絡み合った根を切断し、通気性を確保可能とするものであるが、打ち込み作業の負担を大幅に改善できるものとはならないという課題を残すものであり、また、同特許文献１（４）のような歩行型のエアレーターは、作業者の労働負担を大幅に改善するものとなるが、導入には多額の資金を要する上、維持・整備にも費用が嵩むばかりでなく、格納庫から芝生地までの搬送に、複数の人手を要するものとなり、経済的負担が大きいという欠点があった。                                                                                                                      
【特許文献１】（１）実開２００１−５４３０１号公報    （２）実用新案登録第３１５６４４８号公報    （３）特開平１１―９００６号公報    （４）特開平９−１９１７６７号公報
【発明の概要】
【発明が解決しようとする課題】
【０００９】
（問題意識）
上述したとおり、従前までに提案のある各種エアレーター、およびそれに装着する刃物類などは、何れも手持ち操作型の場合には、作業者に過大な動労負担を強いるものとなってしまい、また歩行型のものは、労働負担を軽減できるものの、それ以外の費用や運搬に多大な資金や人手を要するという難点を抱えており、こうした実情の中、本願出願人は、趣味で西洋芝の庭を造って１０数年になり、その間も、エアレーションを行うとなると余程気合を入れて掛からないと途中で挫折し、中途半端に終わらせてしまったり、それを強行したために、翌日、体の節々が痛くて日常業務に支障を来してしまうなどといったことも経験してきたことから、少しでも楽をして穴開け作業ができないものかと考え、鉄に穴を開ける電気ドリルの利用を思い立ち、芝生地への穴開け作業に応用できないものかとの考えに至ったものである。
を思い付き早速実験してみたところ、あまりにも簡単に穴を開けることができ、さらに、通常であれば柱状となって残存・散乱するコアが壊れボロボロの土状態になる事を発見し、実用性を確認してみたところ、しばらくすると曲げ続けた膝が痛くなり、立ち上がろうにも立ち上がれない状態になり、更なる改善の可能性を痛感するに至ったものである。
【００１０】
（発明の目的）
そこで、早速実験を試みたところ、あまりにも簡単に穴を開けることができ、さらに、通常であれば柱状となって残存・散乱するコアが壊れボロボロの土状態になる事を発見してはみたものの、暫くそれを使って作業を継続すると曲げ続けた膝が痛くなり、立ち上がろうにも立ち上がれない状態になるため、芝生地への穴あけ作業により適した構成とすべく、この発明は、芝生地へのエアレーションの作業負担を大幅に軽減し、硬く乾燥した土地であっても、より効率的に穴開けすることができ、しかも安価に導入できる新たなエアレーター技術の開発はできないものかとの判断から、逸速くその開発、研究に着手し、長期に渡る試行錯誤と幾多の試作、実験とを繰り返してきた結果、今回、遂に新規な構造のエアレーター装置、それを組み込んでなる新規な構造の手持ち型エアレーター、および、新規な構造の歩行型エアレーターを実現化することに成功したものであり、以下では、図面に示すこの発明を代表する実施例と共に、その構成を詳述することとする。                  
【課題を解決するための手段】
【００１１】
（発明の構成）
図面に示すこの発明を代表する実施例からも明確に理解されるように、この発明のエアレーター装置は、基本的に次のような構成から成り立っている。
即ち、装着基端を有するボーリング用刃物、および、所定長寸法棒状体の先端に該ボーリング用刃物装着基端用の刃物固定器を設け、同基端には可搬型回転駆動源回転駆動軸の工具用固定部装着用の固定端を設けた従動軸からなり、互いの対応箇所同士を同一軸心上着脱自在に接続可能としてなるものとした構成を要旨とするエアレーター装置である。
【００１２】
より具体的には、装着基端を有するボーリング用刃物、管状体の先端に該ボーリング用刃物装着基端用の刃物固定器を設け、同基端に連結部を設けた継ぎ手軸、および、棒状体の先端に該継ぎ手軸連結部に接続可能な被連結部を設け、同基端には可搬型回転駆動源回転駆動軸の工具用固定部装着用の固定端を設けた従動軸からなり、互いの対応箇所同士を同一軸心上着脱自在に接続可能としてなるものとした構成からなるエアレーター装置ということができる。
【００１３】
この基本的な構成からなるエアレーター装置は、表現を変えて示すならば、可搬型回転駆動源の本体と一体化機構部を介して一体化可能とし、同可搬型回転駆動源の回転駆動軸を垂直姿勢とした場合、左右水平姿勢に延びる左右ハンドルバーを設けた装着枠を有し、該装着枠の可搬型回転駆動源の工具用固定部先端に対峙する箇所に、所定長寸法棒状体の先端に主回転伝達部を有し、同基端に、可搬型回転駆動源回転駆動軸の工具用固定部装着用の固定端を設けた延伸軸を、同固定端が工具用固定部に固定、且つ回転駆動自在とするよう軸着可能とし、該延伸軸先端の主回転伝達部周囲、左右均衡配置となる少なくとも２箇所に従回転部を設け、回転力分配器とし、該回転力分配器の各従回転部に、適宜長寸法棒状体の先端に、該ボーリング用刃物装着基端用の刃物固定器を設けた従動軸の基端を結合し、各従動軸刃物固定器に、ボーリング用刃物の装着基端を着脱自在に装着してなるものとした構成からなるエアレーター装置となる。
【００１４】
（関連する発明１）
上記したこの発明の基本となるエアレーター装置に関連し、この発明には、そのエアレーター装置を可搬型回転駆動源としてのハンドドリルに組み込んでなるものとした手持ち型エアレーターも包含している。
【００１５】
（関連する発明２）
この発明は、その基本となるエアレーター装置、および手持ち型エアレーターに関連し、ボーリング用刃物を利用したエアレーター技術という共通点を有する歩行型エアレーターも包含している。
即ち、少なくとも１輪、望ましくは３輪以上を有しする車台枠上に、昇降誘導装置を介し、昇降ボックスを昇降自在とするよう搭載し、該昇降ボックスには、回転駆動源、同回転駆動源の出力軸に回転力分配器を設け、該回転力分配器に、適宜長寸法棒状体の先端に、該ボーリング用刃物装着基端用の刃物固定器を設けた複数本の従動軸の各基端を適宜間隔を隔てて垂下結合し、各従動軸刃物固定器に、ボーリング用刃物の装着基端を着脱自在に装着した上、該昇降ボックスを昇降誘導装置の誘導に従うよう昇降操作可能とする昇降駆動装置を組み込んでなるものとした構成からなる歩行型エアレーターである。
【００１６】
より具体的なものとして示すと、少なくとも１輪、望ましくは３輪以上を有し、適所に適宜高さまで延伸した手押し搬送用の走行ハンドルを立設した車台枠上に、昇降案内器および昇降範囲規制器を有する昇降誘導装置を介し、昇降ボックスを規制範囲内に昇降自在とするよう搭載し、該昇降ボックスには、回転駆動源、同回転駆動源の出力軸に設けた主回転伝達部、該主回転伝達部周囲に、回転力を伝達するよう配した複数の従回転部を設け、回転力分配器とし、該回転力分配器の各従回転部に、適宜長寸法棒状体の先端に、該ボーリング用刃物装着基端用の刃物固定器を設けた従動軸の基端を垂下結合し、各従動軸刃物固定器に、ボーリング用刃物の装着基端を着脱自在に装着した上、走行ハンドルの適所に、昇降ボックスを昇降誘導装置の誘導範囲に昇降操作可能とする梃レバー、吊り索および釣合錘を有する昇降駆動装置を組み込んでなるものとした構成からなる歩行型エアレーターとなる。                                                                          
【発明の効果】
【００１７】
以上のとおり、この発明のエアレーター装置によれば、従前までのものとは違い、上記したとおりの固有の特徴ある構成から、可搬型回転駆動源と組み合わせ、ボーリング用刃物を回転駆動させながら、芝生地Ｇを掘削可能な手持ち型エアレーターを実現化することができるから、この発明のエアレーター装置を組み込んだ手持ち型エアレーターは、乾燥して硬くなった土や、密集して強く絡み合った芝生の根も簡単に掘削することができ、エアレーションの労働負担を大幅に軽減することができる上、軽量化して搬送の負担を軽減し、従前までのような柱状の抜き取り屑（コア）を発生せず、エアレーションの作業を大幅に合理化することができ、従来型の大型で重量が嵩む歩行型エアレーターを導入するのに比較して、格段に経済性に秀れたものとなり、より経済的に購入、使用できるという秀でた特徴を発揮するものである。
【００１８】
可搬型回転駆動源とボーリング用刃物とを繋ぐ従動軸や継ぎ手軸などの適所に、長さ調節器および長さ規制部を設け、軸長寸法を調節可能としてなるエアレーター装置を組み込んだ手持ち型エアレーターは、長さ調節器を調節することにより、立ち姿勢や座り姿勢の作業にも自在に対応可能となり、同じ姿勢を長時間続けて腰や膝などを疲労させたり、傷めたりするのを防ぎ、より軽快にエアレーションの作業を継続することができるものになる。
【００１９】
加えて、可搬型回転駆動源の回転駆動軸に固定端を接続する延伸軸の先端に設けた主回転伝達部、および、主回転伝達部周囲、左右均衡配置となる少なくとも２箇所に設けた従回転部からなる回転力分配器を設け、各従回転部にボーリング用刃物を着脱自在に装着してなるエアレーター装置は、芝生地に１度打ち込む毎、少なくとも２本（装着本数分）のボーリング用刃物を同時に打ち込むことができるから、エアレーション作業の効率を大幅に高めることができる上、回転力分配器は、隣接すボーリング用刃物を互いに逆回転方向に回転駆動するものとなるから、手持ち型エアレーターが、その装着枠に設けた左右ハンドルバーによる安定保持力と相俟って、垂直軸心回りの一方向に回転しようとする力を効果的に相殺し、一段と安定したボーリング作業を実現化するものとなる。
【００２０】
また、装着枠の従動軸近傍まで延伸した適所か、回転力分配器外壁か、それの近傍となる何れか適所に、自重または弾性部材などの下向き付勢を受け、その昇降移動範囲を規制可能としたボーリング深さ規制器、および、該ボーリング深さ規制器の規制範囲に昇降移動自在とした接地プレートを有するボーリング案内装置を設けてなるエアレーター装置は、可搬型回転駆動源を組み込み手持ち型エアレーターとした場合に、接地プレート全下面を芝生地に接地するよう保持すると、各ボーリング用刃物を芝生地に対し垂直に打ち込むことができ、しかもボーリング深さ規制器が、各ボーリング用刃物の打ち込み深さを一定に規制し、ムラ無く均質な穴開け（エアレーション）を可能とすると共に、各ボーリング用刃物を芝生地から抜き取る場合には、接地プレートが、芝生地を抑えて盛り上がりを防止し、芝生地を平坦に維持することができるものとなり、ボーリング（エアレーション）後の整地作業を一切不要とすることができる。
【００２１】
この発明の歩行型エアレーターによれば、走行ハンドルを有して自走可能なものとしており、作業者への負担をより一層軽減できるものとなし、複数本のボーリング用刃物を旋回して掘削するようにすることから、従来型のように自重を重くする必要がなく、格段に経済的に大幅な小型化・軽量化を実現化し、格納庫から芝生地までの運搬や自走移動も軽快なものとすることができる上、複数本のボーリング用刃物を垂下した昇降ボックスを昇降誘導装置の誘導に従うよう昇降操作可能とする昇降駆動装置を組み込んでなるものとしたから、当該歩行型エアレーターを僅かに移動させては、昇降ボックスを垂直に降下させて一定深さまで掘削することができ、均質且つ効率的なエアレーションを可能とし、加えて、走行ハンドルの適所に、昇降ボックスを昇降誘導装置の誘導範囲に昇降操作可能とする梃レバー、吊り索および釣合錘を有する昇降駆動装置を組み込んでなるものとすることにより、昇降ボックスの昇降操作性を一段と安定且つ軽快に行えるものとし、作業者への労働負担を一層軽減化するものになるという秀れた特徴が得られるものである。            
【発明を実施するための最良の形態】
【００２２】
上記したとおりの構成からなるこの発明の実施に際し、その最良もしくは望ましい形態について説明を加えることにする。
（エアレーター装置）
ボーリング用刃物は、軸周りに回転し、軸心先端方向に向け地中に切り込み、掘り下げた分の芝生の根や土などを地上に向けて粉砕状としながら排出するようにして掘削可能とする機能を担い、概略柱状の外観を持ち、先端に切り込み刃を有し、周壁には、掘削した際に発生する根屑や土、砂などを排除可能とする排出溝を有するような硬質素材製の工具としなければならず、一般的な木工、金属加工などに用いられる市販の工業用ドリル刃物、エンドミル、リーマ、タップなどをそのままか、または一部に改良を加えたものを利用することが可能であり、金属製の外、セラミック製、硬質合成樹脂製、複合素材製など様々な素材製のものとすることができる。
【００２３】
従動軸は、可搬型回転駆動源の回転駆動軸とボーリング用刃物装着基端とを、所定長寸法を実現するよう連結し、該回転駆動源が出力する回転駆動力をボーリング用刃物に伝達可能とする機能を担い、可搬型回転駆動源とボーリング用刃物との距離を、エアレーションの作業をするのに適した間隔に維持可能とし、回転駆動源が発生する回転駆動力を、充分な強度をもってボーリング用刃物に伝達可能とするものとしなければならず、より具体的には、所定長寸法棒状体の先端に、該ボーリング用刃物装着基端用の刃物固定器を設け、同基端に、可搬型回転駆動源回転駆動軸の工具用固定部装着用の固定端を設けたものとすべきであり、表現を変えて示すと、作業者が、立ち姿勢を維持したまま、可搬型回転駆動源を操作し、先端のボーリング用刃物を容易に地中に打ち込むことが可能となる程度の長さ寸法に設定したものとすべきであり、その長さは利用者の身長や、利用姿勢、その他の利用条件などに応じて適宜設定するのが望ましいものである。
【００２４】
継ぎ手軸は、ボーリング用刃物と従動軸との間に介在し、両者を同一軸心上に連結し、回転駆動源の回転力をボーリング用刃物に伝達可能とする機能を担い、ボーリング用刃物と従動軸との距離を、エアレーションの作業をするのに適した間隔に維持可能とし、回転駆動源が発生する回転駆動力を、充分な強度をもってボーリング用刃物に伝達可能とするものとしなければならず、ワイヤ軸などによる湾曲自在機構や、自在継ぎ手機構などを組み込んだものとすることができる外、先端、中途部、基端の何れか適所に伸縮機構およびその伸縮を仮固定可能とする機構を組み込んだものとすることができ、例えば、後述する実施例にも採用しているように、継ぎ手軸基端の連結部が、同管状体の中途適所から基端までの範囲に、長さ方向に沿い適宜間隔をもった複数箇所夫々に配した長さ調節器の調節部であり、従動軸先端の被連結部が、長さ調節器の長さ規制部となり、継ぎ手軸および従動軸の連結長さ寸法を調節可能、且つ同一軸心上着脱自在としてなるものとすることが可能である。
【００２５】
継ぎ手軸および従動軸の互いの接続構造は、接続した互いの軸心方向、および、周回り方向に動かないよう確実に仮固定可能なものとしなければならず、直径方向に貫通するボルト・ナット、割ピン、ボルト・割ピン、頭付き先孔棒・スナップピン、頭付き先端周囲溝・Ｅリングなどのように着脱自在な連結用部品類を用いることができる外、キー・キー溝を有するものや、周回りに回転しない矩形断面形、星型断面形、多角形断面形などの棒状端と、それに嵌合する断面形の筒状内壁形状の管状端との組合せからなるものや、継ぎ手軸および従動軸の何れか一方を、長尺パイプ内周壁に雌ネジを刻設したもの、何れか他方を長尺ボルト状棒のものとし、回転操作によって伸縮操作し、長尺ボルト状棒に螺合した固定用ナットを締め付けてダブルナット状に仮固定するようにしたもの、また、管状部品の肉厚部に中心に向けて外がわから貫通するよう固定ネジを螺着し、管状部品に同心上進退自在に装着した棒状部品の外周壁に固定ネジ先端を押し付け固定するか、棒状部品の長さ方向に素って点在するよう直径方向に穿設した複数のネジ孔や複数のバカ孔の何れか任意選択した１箇所に螺合または嵌合するように組み合わせたものなど、様々な構造を適宜採用可能である。
【００２６】
エアレーター装置は、１本のボーリング用刃物および従動軸からなるものや、１本のボーリング用刃物、継ぎ手軸および従動軸からなるものの外、２本以上複数本のボーリング用刃物を、適宜間隔置きに平行するよう垂下し、同一の可搬型回転駆動源からの回転駆動力を伝達し、同時に複数の穴あけを可能とするようにしたものなどとすることができ、また、複数本のボーリング用刃物の１本毎または複数本毎に対し、１個ずつ回転駆動源（合計複数個の回転駆動源）を設けたものとすることなども可能であり、例えば、後述する実施例に示す事例のように、可搬型回転駆動源の本体と一体化機構部を介して一体化可能とし、同可搬型回転駆動源の回転駆動軸を垂直姿勢とした場合、左右水平姿勢に延びる左右ハンドルバーを設けた装着枠を有し、該装着枠の可搬型回転駆動源の工具用固定部先端に対峙する箇所に、所定長寸法棒状体の先端に主回転伝達部を有し、同基端に、可搬型回転駆動源回転駆動軸の工具用固定部装着用の固定端を設けた延伸軸を、同固定端が工具用固定部に固定すると共に、回転駆動自在とするよう軸着し、該延伸軸先端の主回転伝達部周囲、左右均衡配置となる少なくとも２箇所に従回転部を設けて回転力分配器とし、該回転力分配器の各従回転部には、適宜長寸法棒状体の先端に、該ボーリング用刃物装着基端用の刃物固定器を設けた従動軸の基端を結合し、各従動軸刃物固定器に、ボーリング用刃物の装着基端を着脱自在に装着してなるものとすることができる。
【００２７】
装着枠は、この発明のエアレーター装置を可搬型回転駆動源に一体化する機能を担い、必要に応じて脱着可能な一体化機構部を設けたものとすべきであり、工具類を使わずワンタッチで着脱可能な一体化機構部を設けたものとすることが可能であり、可搬型回転駆動源の本体部分外郭形状に一致した嵌合装着型のものとすることができる外、可搬型回転駆動源の適所に取付け対象部分を設け、その取付け対象部分に結合可能としたものとすることが可能であり、ベルトによって締め付け固定可能なものとすることができ、始めから可搬型回転駆動源の本体と一体のものとすることができ、左右ハンドルバーを一体としたものや、着脱自在に一体化したものなどとすることができる。
【００２８】
延伸軸は、可搬型回転駆動源の回転駆動軸と、回転力分配器の主回転伝達部とを適宜間隔を隔てるよう連結し、両者間に回転力伝達可能とする機能の担っており、所定長寸法棒状体の先端に主回転伝達部を有し、同基端に、可搬型回転駆動源回転駆動軸の工具用固定部装着用の固定端を設け、同固定端が工具用固定部に固定可能、回転駆動自在とするよう軸着可能としたものとしなければならず、回転力分配器、従動軸およびボーリング用刃物を含む可搬型回転駆動源からボーリング用刃物先端までの長さ寸法を、例えば、立ち姿勢の利用者が、地面への穴開け（エアレーション）作業に利用し易い長さとなるよう寸法設定したものとすべきであり、その中途適所を装着枠の適所か、回転力分配器の適所かの何れかに軸着したものとするのが良い。
【００２９】
回転力分配器は、延伸軸の回転力を複数本の従動軸に均質に分配し、複数本のボーリング用刃物を同時に回転駆動可能とする機能を担い、回転力伝達機構を用いたものとしなければならず、摩擦車機構、ベルト・プーリ機構、ギアベルト・ギア機構、チェーン・スプロケット機構、歯車機構など様々な伝達機構を用いることが可能であり、後述する実施例にも示すとおり、摩擦車や歯車などによる、延伸軸先端の主回転伝達部周囲、左右均衡配置となる少なくとも２箇所に従回転部を設けたものとすることができる。
【００３０】
ボーリング案内装置は、芝生地に接地し、各ボーリング用刃物を垂直姿勢に案内するよう支持可能とする機能を担い、さらに、接地した部分が、穴あけ後に抜き取る各ボーリング用刃物に、引き摺られて盛り上がろうとする周囲土壌、芝生の根、芝生などを平面状に抑え込み、エアレーション後の穴周囲の盛り上がりを抑制可能なものとするのが望ましく、より具体的に示すと、後述する実施例にも採用するとおり、装着枠の従動軸近傍まで延伸した適所か、回転力分配器外壁か、それらの近傍かの何れか適所に、自重または弾性部材の下向き付勢を受け、その昇降移動範囲を規制可能としたボーリング深さ規制器、および、該ボーリング深さ規制器の規制範囲に昇降移動自在とした接地プレートを有するものとするのが良い。
【００３１】
ボーリング案内装置のボーリング深さ規制器は、各ボーリング用刃物の芝生地への差込み深さを規制し、ボーリング用刃物の刃長を超えて打ち込むのを阻止する機能を担い、接地プレートなどの接地部分に自重、錘、弾性部材、磁石の反発力や吸引力、または流体圧力などによる下向き付勢を受け、各ボーリング用刃物の軸心に平行となる方向に案内支持可能とする案内レール機構やガイド溝機構などからなり、その上下端にストッパー部品や制動器を設けるなどし、その昇降移動範囲を規制可能としたものとすることができる外、穴あけ後に、ボーリング用刃物を地上から引き抜くよう、強制的上昇操作力を発生する昇降機構および動力原を有するものなどとすることができ、接地プレートは、芝生地に接地し、各ボーリング用刃物の軸心を芝生地に対し垂直姿勢に支持する機能を担い、平面板、パンチングプレート、波板、網板、骨格枠など様々な形状のものとすることができる。
【００３２】
（手持ち型エアレーター）
手持ち型エアレーターは、この発明のエアレーター装置を、可搬型回転駆動源に組み込んでなるものであり、対象となる可搬型回転駆動源は、運搬および利用が容易なサイズおよび重量のものとしなければならず、電動モーター、内燃機関、外燃機関、圧縮空気、圧縮ガス、圧縮流体など様々な駆動源を利用するものとすることができ、後述する実施例に示すように、ハンドドリル、外部電力、バッテリーまたは充電型バッテリーなどによって駆動可能な電気モーターやガソリンエンジンなどを用いたものとすることができる。
【００３３】
（歩行型エアレーター）
車台枠は、昇降誘導装置、昇降ボックスなどを搬送可能に搭載する機能を担っており、少なくとも１輪、望ましくは３輪以上を有するものとしなければならず、１輪を有する場合には、バランスを維持可能な他の少なくとも２点に支持脚や橇などを配し、２輪を有する場合には、バランスを維持可能な他の少なくとも１点に支持脚や橇などを配したものとするのが望ましく、後述する実施例にも採用するよう、均衡する４箇所に車輪を有するものとすることができる外、１または複数の無限軌道を有するものや橇を有するものなどとすることが可能であり、適所に走行ハンドルを設け、作業者が押し引きして移動可能としたものや、操舵機構を有するもの、駆動用原動機を有して自走可能なもの、乗用型のもの、および、リモコン操縦可能なものなどの中、少なくとも何れか１つの機能を有するものとすることが可能である。
【００３４】
昇降誘導装置は、昇降ボックスを車台枠に対して、地上から浮かせた状態に支持可能とし、同昇降ボックスを降下させて各ボーリング用刃物を芝生地に打ち込むよう降下、および、抜き出すよう上昇するよう案内可能および規制可能とする機能を担い、昇降案内器と昇降範囲規制器とを有するものとしなければならず、該昇降案内器は、昇降ボックスを垂直移動するよう案内可能とする機能を担い、ガイドレールまたはガイド溝とそれに沿って移動する摺動駒からなるものとすることができ、昇降範囲規制器は、昇降案内器に従い昇降移動する昇降ボックスの上下制動高さ位置を規制可能とする機能を担い、昇降案内器上下端付近に配した規制用突起や、昇降ボックスが昇降案内器上下端付近に移動したときに作動するブレーキ装置のような制動装置などとすることができる。
【００３５】
昇降ボックスは、回転駆動源が発生する回転駆動力を、複数本のボーリング用刃物に均等に分配可能とすると共に、それらの回転力伝達機構類を一まとめとし、昇降誘導装置に沿って一体的に昇降移動可能とする機能を担っていて、箱型形状に拘らず、回転力伝達機構類を一まとめにすることができる枠状、基板上、ブロック状、篭状、器状、その他様々な形状のものにすることが可能であり、より具体的には、回転駆動源、同回転駆動源の出力軸に回転力分配器を設け、該回転力分配器に、適宜長寸法棒状体の先端に、該ボーリング用刃物装着基端用の刃物固定器を設けた複数本の従動軸の各基端を適宜間隔を隔てて垂下結合したものとするのが望ましく、後述する実施例にも採用するように、回転駆動源、同回転駆動源の出力軸に設けた主回転伝達部、該主回転伝達部周囲に、回転力を伝達するよう配した複数の従回転部を設け、各従回転部に、適宜長寸法棒状体の先端に、該ボーリング用刃物装着基端用の刃物固定器を設けた従動軸の基端を垂下結合してなるものとすることができ、主回転伝達部および各従回転部は、摩擦車機構、ベルト・プーリ機構、ギアベルト・ギア機構、チェーン・スプロケット機構、歯車機構など様々な機構を用いることが可能である。
この回転駆動源は、車台枠上に搭載した状態で、運搬および利用が容易なサイズおよび重量のものとしなければならず、電動モーター、内燃機関、外燃機関、圧縮空気、圧縮ガス、その他の圧縮流体などを動力源とする回転機構など、様々な駆動源を利用するものとすることができる。
【００３６】
昇降駆動装置は、昇降ボックスを車台枠に対し、各ボーリング用刃物を芝生地中に打ち込み可能とするよう降下操作可能とする機能を担うものであり、昇降ボックスを強制的に降下させるよう駆動源を有するものとすることができる外、昇降ボックスおよびそれに付属する部品類の自重を利用し、各ボーリング用刃物を芝生地中に打ち込めるよう降下操作可能としたものなどとすることができ、後述の実施例にも示してあるように、走行ハンドルの適所に設けた梃レバーの先端に、昇降ボックスに連結した吊り索を繋着してなるものなどとすることができる外、ハンドル付きの巻揚げ用リールおよび巻揚げ用索条からなるものや、梃レバーの先端を直接昇降ボックス適所に連結したものなどとすることができ、上昇操作力を軽減するよう、バランス用の釣合錘を有するバランス器を設けたものなどとすることができる。
以下では、図面に示すこの発明を代表する実施例と共に、その構造について詳述することとする。                                                                              
【図面の簡単な説明】
【００３７】
図面は、この発明のエアレーター装置、それを利用した手持ち型エアレーターおよび歩行型エアレーターの技術的思想を具現化した代表的な幾つかの実施例を示すものである。
【図１】手持ち型エアレーターの使用状態示す側面図である。
【図２】複数本のボーリング用刃物を有する手持ち型エアレーターを示す側面図である。
【図３】複数本のボーリング用刃物を有する手持ち型エアレーターを示す正面図である。
【図４】複数本のボーリング用刃物を有する手持ち型エアレーターを示す背面図である。
【図５】歩行型エアレーターを示す斜視図である。
【図６】穴あけ動作中の歩行型エアレーターを断面化して示す側面図である。
【図７】昇降誘導装置を外部に設けた歩行型エアレーターを示す斜視図である。
【図８】バランス器を設けた歩行型エアレーターを断面化して示す側面図である。
【実施例１】
【００３８】
（エアレーター装置）
図１に示す事例は、装着基端２０を有するボーリング用刃物２、管状体３の先端に、該ボーリング用刃物２装着基端２０用の刃物固定器３０を設け、同基端に連結部３３を設けた継ぎ手軸３、および、棒状体４の先端に、該継ぎ手軸３連結部３３に接続可能な被連結部４０を設け、同基端に、可搬型回転駆動源ＨＤ回転駆動軸ＤＳの工具用固定部Ｃ装着用の固定端４１を設けた従動軸４からなり、互いの対応箇所同士を同一軸心上着脱自在に接続可能としてなるものとした、この発明のエアレーター装置における代表的な一実施例を示すものである。
【００３９】
図１に示すように、この発明のエアレーター装置１は、ボーリング用刃物２が、その装着基端２０に、回転軸心に直交する取付け孔２１を穿設し、該取付け孔２１に取付けピン３２を貫通状に圧入装着可能とし、刃部２２長さが、エアレーションの穴あけに適した長さとした機械加工用のドリル刃物２であり、継ぎ手軸３は、該ボーリング用刃物２装着基端２０を嵌合状に装着可能な内径、および適宜長さに設定した管状体３の先端に、該ボーリング用刃物２装着基端２０用となる回転軸心に直交する取付け孔３１を穿設し、該取付け孔３１に前記取付けピン３２を貫通状に圧入装着可能とした刃物固定器３０を設け、同基端には、従動軸４の先端を同心上に差込可能とする連結部３３を設け、該連結部３３が、同管状体３先端寄りの中途適所から基端までの範囲に、長さ方向に沿い適宜間隔をもった複数箇所、例えば４箇所夫々に、長さ調節器５の一部である調節部５０となる調節孔５０，５０，……を穿設したものであり、従動軸４は、ボーリング用刃物２装着基端２０を装着可能な内径、および適宜長さに設定した棒状体４の先端に、該継ぎ手軸３連結部３３に接続可能な被連結部４０を設け、同被連結部４０は、前記長さ調節器５の他部である長さ規制部５１となり、同長さ規制部５１は、前記継ぎ手軸３の長さ調節器５調節孔（調節部）５０，５０，……の何れか選択した１箇所に一致させ、規制ピン５２を貫通状に圧入装着可能とするよう、回転軸心に直交する方向に穿設した１個の規制孔５１からなるものとし、同、従動軸４基端には、可搬型回転駆動源ＨＤとしてのハンドドリルＨＤ回転駆動軸ＤＳの工具用固定部Ｃであるチャック装置Ｃ装着用に僅かに縮径し、軸心方向の後退移動を規制可能とする段差部を有する固定端４１を設けたものとしてある。
【００４０】
（実施例１の作用・効果）
以上のとおりの構成からなるこの発明のエアレーター装置１は、図１に示すように、可搬型回転駆動源ＨＤとしてのハンドドリルＨＤに対し、その回転駆動軸ＤＳチャック装置Ｃに、従動軸４基端である固定端４１を装着・固定し、同従動軸４先端を、継ぎ手軸３基端に開口した連結部３３に差込み、長さ調節器５長さ規制部５１である規制孔５１を、同長さ調節器５調節部５０の調節孔５０，５０，……の何れか、所望する長さとなるよう任意選択した一箇所に一致させた上、規制ピン５２を圧入状に差し込み同心上に一体化するよう連結し、該継ぎ手軸３先端の刃物固定器３０に、ドリル刃物２装着基端２０を装着し、互いの取付け孔２１，３１を一致させ、取付けピン３２によって着脱自在且つ同心上に連結し、手持ち型エアレーター１１とすることが可能なものである。
【００４１】
手持ち型エアレーター１１は、長さ調節器５を有するから、利用者の身長や作業姿勢などに応じて伸縮調節することができ、長時間に及ぶエアレーションの作業も軽い労働負担に留めることができ、回転するドリル刃物２を芝生地Ｇに打ち込むと、硬く乾燥した芝生地ＧであってもハンドドリルＨＤを軽く保持するだけで、簡単且つ瞬時に穴あけすることができ、しかも地中で密に絡み合う芝生の根を、容易に切断・粉砕し、土壌諸共粉粒状の掘削屑Ｒとして地表に放出するが、従前までのように棒状塊となって散乱・残存することなく、芝生Ｔの間に目土状に留まり、回収処分の手間を省くことができる。                        
【実施例２】
【００４２】
（エアレーター装置）
図２ないし図４に示す事例は、可搬型回転駆動源ＨＤと一体化可能とした装着枠６を有し、棒状体７の先端に主回転伝達部８１を有し、同基端に、可搬型回転駆動源ＨＤ回転駆動軸ＤＳ装着用の固定端７０を設けた延伸軸７を、該可搬型回転駆動源ＨＤに軸着可能とし、該延伸軸７先端に、左右均衡配置となる少なくとも２箇所の従回転部８３，８３，を有する回転力分配器８を設け、各従回転部８３，８３に、刃物固定器３０を有する従動軸４，４を結合し、各従動軸４，４刃物固定器３０，３０に、ボーリング用刃物２，２を着脱自在に装着してなるものとした、この発明のエアレーター装置における代表的な２つ目の実施例を示すものである。
【００４３】
装着枠６は、装着対象の可搬型回転駆動源ＨＤとしてのハンドドリルＨＤ本体のグリップ部ＧＰとは反対がわとなる本体壁に対峙する骨格枠部６０を有し、該骨格枠部６０は、該ハンドドリルＨＤに装着するのとは反対がわであって、該ハンドドリルＨＤグリップ部ＧＰから９０度の開き角度となる左右がわ（装着枠６およびハンドドリルＨＤを垂直姿勢とした場合）に、水平姿勢の左右ハンドルバー６１，６１を延伸・一体化し、該骨格枠部６０先端部を、該ハンドドリルＨＤ回転駆動軸ＤＳ（チャック装置Ｃ）に対峙する位置まで回り込むよう延伸し、所定長寸法棒状の延伸軸７を回転自在に軸着する外装管部６２の基端を一体化し、一体化機構部６３は、ハンドドリルＨＤ本体の先端寄りを挟着可能な左右挟着腕６５，６５、該左右挟着腕６５，６５を緊締する緊締ボルト・ナット６６、および、該左右挟着腕６５，６５先端を外装管部６２基端に固着したフランジに連結する左右１本ずつの連結ボルト・ナット６７，６７からなる主緊締具６４、および、該骨格枠部６０のハンドドリルＨＤ本体のグリップ部ＧＰよりも僅かに後端寄りとなる位置に固着したフランジに、同ハンドドリルＨＤ本体後端を跨ぐよう配したＵ字形金具６９の雄ネジを刻設した両端を装着し、該フランジを挟み込むよう配した複数個のナットを螺着し、緊締可能とした補助緊締金具６８からなるものである。
【００４４】
装着枠６外装管部６２の先端および基端には、夫々延伸軸７の両端を回転自在に支持可能な軸受け部（図示せず）を内蔵し、同外装管部６２基端より延出する延伸軸７基端７０に、ハンドドリルＨＤ回転駆動軸ＤＳのチャック装置Ｃ装着用の固定端７０を設け、これとは反対がわとなる該外装管部６２の先端には、回転力分配器８のギアボックス８０を結合し、該回転力分配器８は、ギアボックス８０の天面中央に縦貫し、同、ギアボックス８０内の延伸軸７先端に、歯車からなる主回転伝達部８１を結合し、該主回転伝達部８１の左右夫々に歯車からなる中間歯車８２，８２、および歯車からなる従回転部８３，８３を左右方向に展開するよう対象的に配置し、互いに噛合するよう軸着したものであり、左右端に配した各従回転部８３，８３には、適宜長寸法棒状体の先端に、該ドリル刃物２，２装着基端２０，２０用の刃物固定器３０、３０を設けた従動軸４，４の各基端を結合したものとしてある。
【００４５】
各刃物固定器３０、３０は、図１に示した実施例１のものと同様の取付け孔３１および取付けピン３２を有し、装着基端２０，２０夫々に、取付け孔２１を穿設したドリル刃物２，２を着脱自在に垂下装着したものとし、さらに、図２ないし図４に示すように、ボーリング案内装置９は、回転力分配器８ギアボックス８０の左右全幅に相当する幅寸法、および装着したドリル刃物２，２の先端付近から該ギアボックス８０の上部まで達する高さ寸法に設定し、左右一対の縦案内溝孔９４，９４を穿孔した垂直姿勢の保護板９０、および、同保護板９０下端にドリル刃物２，２のみ通過可能な通し孔９２，９２を穿設した水平姿勢の接地プレート９１を設け、側面Ｌ字断面形としたものである。
【００４６】
ボーリング案内装置９のボーリング深さ規制器９３は、装着枠６外装管部６２先端に固着した回転力分配器８ギアボックス８０背面がわとなる外壁に穿設した左右一対のネジ孔９５，９５、および、当該保護板９０左右縦案内溝孔９４，９４を通じて各ネジ孔９５，９５に螺着する左右一対の蝶ネジ９６，９６が、保護板９０およびこれと一体の接地プレート９１の上下摺動移動を案内すると共に、各蝶ネジ９６，９６と各縦案内溝孔９４，９４が上下摺動範囲を規制可能なものとしてある。
【００４７】
（実施例２の作用・効果）
以上のとおりの構成からなるこの発明の手持ち型エアレーター１１は、図２ないし図４に示すように、この発明のエアレーター装置１装着枠６の骨格枠部６０にハンドドリルＨＤを装着し、延伸軸７固定端７０を同ハンドドリルＨＤのチャック装置Ｃに装着して締め付け固定すると共に、当該一体化機構部６３主緊締具６４および補助緊締金具６８を締め付けて仮固定した上、各従動軸４，４刃物固定器３０、３０に、ドリル刃物２，２装着基端２０，２０を着脱自在に装着してなるものであり、これを使用する場合には、例えば、ハンドドリルＨＤが充電型のものでなければ、外部電源に電源ケーブルを接続し、エアレーションを行う芝生地Ｇ（図示せず）上に、各ドリル刃物２，２先端を突き立てるよう垂直に支持し、左右ハンドルバー６１，６１を握持し、ハンドドリルＨＤの起動スイッチを操作し、回転駆動軸ＤＳを駆動してチャック装置Ｃ、延伸軸７、回転力分配器８ギアボックス８０の主回転伝達部８１、中間歯車８２，８２、従回転部８３，８３、従動軸４，４を回転させ、左右ドリル刃物２，２を互いに逆回転するよう駆動し、芝生地（Ｇ）を掘削するものとし、左右ドリル刃物２，２が互いの回転・掘削抵抗を相殺し、左右ハンドルバー６１，６１が垂直軸心回りに回転しようとする力を消去し、安定して掘り下げることが可能となる。
【００４８】
ボーリング案内装置９は、掘削開始のとき、接地プレート９１が、自重によってボーリング深さ規制器９３の下限位置まで相対的に降下しており、同接地プレート９１下面を芝生地Ｇ（図示せず）に接地し、手持ち型エアレーター１１および左右ドリル刃物２，２を垂直姿勢に誘導するものとなり、その下面接地状態を維持したまま、掘削の進行に伴い、次第にボーリング深さ規制器９３の上限位置まで相対的に上昇し、縦案内溝孔９４，９４の上縁に、各蝶ネジ９６，９６が当接すると、左右ドリル刃物２，２の掘り下げを強制的に停止するものとなり、移動しながら掘削を繰り返した場合にも、掘削孔Ｈ（図示せず）の深さを一定且つ垂直に保つことができ、しかも手持ち型エアレーター１１を持ち上げるようにして左右ドリル刃物２，２を芝生地（Ｇ）から抜き取る場合に、該接地プレート９１が、自重によって縦案内溝孔９４，９４の下縁に、各蝶ネジ９６，９６が当接するまで、芝生地（Ｇ）に接地触した状態を維持するものとなるから、掘削孔（Ｈ）周囲の芝生Ｔ（図示せず）の盛り上がりを防止するものとなり、さらに、掘削中に左右ドリル刃物２，２、が掘削孔（Ｈ）周囲に排出する芝生（Ｔ）根の粉砕物や土、砂等の粉粒状物は、その周囲の芝生（Ｔ）の根元周辺に散乱状となって、従前までのように柱形状とはならないから、回収作業が不要となり、残留したそれら掘削屑Ｒ（図示せず）は、周囲の芝生（Ｔ）の肥料成分となったり、保水性を高め、通気性を確保するものとなったりすることなる。                
【実施例３】
【００４９】
（歩行型エアレーター）
図５および図６に示す、この発明の歩行型エアレーター１２は、少なくとも１輪、望ましくは３輪以上を有しする車台枠Ｓ上に、昇降誘導装置Ｅを介し、昇降ボックスＢを昇降自在とするよう搭載し、該昇降ボックスＢには、回転駆動源Ｍ、同回転駆動源Ｍの出力軸Ｍ０に回転力分配器８を設け、該回転力分配器８に、適宜長寸法棒状体の先端に、該ボーリング用刃物２，２，……装着基端２０，２０，……用の刃物固定器３０，３０，……を設けた複数本の従動軸４，４，……の各基端を適宜間隔を隔てて垂下結合し、各従動軸４，４，……刃物固定器３０，３０，……に、ボーリング用刃物２，２，……の装着基端２０，２０，……を着脱自在に装着した上、該昇降ボックスＢを昇降誘導装置Ｅの誘導に従うよう昇降操作可能とする昇降駆動装置Ｄを組み込んでなる、この発明の歩行型エアレーターにおける代表的な一実施例を示すものである。
【００５０】
車台枠Ｓは、左右方向に長辺を向けた平板矩形枠状のものとし、左右側縁の前後夫々に合計４輪の車輪Ｓ０，Ｓ０，……を回転自在に軸着し、例えば、前輪２輪、または全輪に垂直支持軸の軸心を車輪水平軸に対しオフセット配置とし、所謂自在キャスターのように操舵追従性を高めたもの（図示せず）とすることができ、同車台枠Ｓ後端縁付近より、門型の走行ハンドルＳ１を立設し、同車台枠Ｓ中央には、矩形箱状壁Ｓ２を上下に開口するよう立設し、矩形箱状壁Ｓ２左右内壁の中央より後端寄りとなる位置に、夫々昇降誘導装置Ｅの所定上下長寸法に設定した縦溝壁からなる昇降案内器Ｅ０，Ｅ０を平面中央に向け突設し、それら左右昇降誘導装置Ｅ昇降案内器Ｅ０，Ｅ０間となる矩形箱状壁Ｓ２内には、昇降ボックスＢを配し、同昇降ボックスＢ左右端に、当該左右昇降案内器Ｅ０，Ｅ０に夫々上下方向に摺動自在に嵌合する摺動板Ｅ２，Ｅ２、および、各摺動板Ｅ２，Ｅ２の上下端所定位置夫々に前後方向に向け、各々対応する昇降案内器Ｅ０，Ｅ０に係合可能に突設した制動凸部Ｅ３，Ｅ３，……からなる昇降範囲規制器Ｅ１，Ｅ１を設けたものとする。
【００５１】
昇降ボックスＢは、上下壁Ｂ０，Ｂ１間に、左右間中央垂直軸心に一致するよう軸着し、上壁Ｂ０上に突出する上端に減速歯車Ｍ３、下壁Ｂ１下に突出する下端に、従動軸４を垂下するよう一体化した主回転伝達部Ｍ２を設け、該減速歯車Ｍ３には、左右間中央前方に向け水平延伸した片持ちし支持片部Ｂ２に固着した回転駆動源Ｍの垂直出力軸Ｍ０に軸着した出力用歯車、およびそれに噛合する中間歯車からなる出力歯車群Ｍ１，Ｍ１の中間歯車Ｍ１が、噛合したものとし、当該主回転伝達部Ｍ２の左右がわには、夫々２個ずつ連なり、各々が下壁Ｂ１下に従動軸４を垂下した従回転部Ｍ４，Ｍ４，……を軸着し、合計５本の従動軸４，４，……を左右方向に向け一列に並ぶよう配置したものとしてあり、当該主回転伝達部Ｍと各従回転部Ｍ４，Ｍ４，……は、互いに歯車の噛合か、または、摩擦車の摩擦力によって回転力を伝達するものかの何れか一方としてあり、従って、隣接する従動軸４，４同士は、互いに逆回転方向に回転駆動する回転力分配器８をなすものとしてある。
【００５２】
各従動軸４，４，……の下端には、刃物固定器３０を設け、ドリル刃物２，２，……の基端を着脱自在に装着可能なものとし、前記左右昇降誘導装置Ｅ縦溝壁（昇降案内器）Ｅ０，Ｅ０と、昇降範囲規制器Ｅ１，Ｅ１の各制動凸部Ｅ３，Ｅ３，……の上下規制位置は、各従動軸４，４，……に装着したドリル刃物２，２，……が、芝生地Ｇより上昇する高さ上限、および、芝生地Ｇに打ち込む深さ下限を規制するよう設定したものとしてある。
【００５３】
当該走行ハンドルＳ１の上端左右間中央の前がわには、Ｌ字形梃レバーＤ０の支点となる屈曲部を左右方向に向く水平軸心に軸着・支持し、力点となる上端にグリップを設け、作用点となる先端より、左右に垂下した吊り索Ｄ１，Ｄ１の下端を、昇降ボックスＢ左右に一体化した摺動板Ｅ２，Ｅ２上端適所に繋着し、吊り上げ操作自在なものとしてあり、図示しない例えば鈎金具などの保持装置にて、該梃レバーＤ０を上昇角度位置に仮固定すると、当該昇降ボックスＢを上昇上限位置に仮固定することが可能なものとしてある。
【００５４】
さらに、昇降ボックスＢ左右に一体化した摺動板Ｅ２，Ｅ２上端適所間には、矩形箱状壁Ｓ２の天面開口を閉鎖可能な形状の薄い天板Ｂ３を固着し、昇降ボックスＢおよび出力歯車群Ｍ１，Ｍ１、減速歯車Ｍ３などが露出しないよう隠蔽したものとしてある。
【００５５】
また、図７および図８に示すように、昇降ボックスＢは、有天且つ無床の矩形箱状とし、車台枠Ｓが矩形箱状壁Ｓ２を持たず、中央を矩形に開口した平板矩形枠状のものとし、昇降駆動装置Ｄ梃レバーＤ０から垂下した１本の吊り索Ｄ１を、昇降ボックスＢ天面上壁中央に設けた連結環Ｂ４に繋着した上、左右各昇降誘導装置Ｅ，Ｅを昇降ボックスＢ左右外壁前後間中央に縦設した昇降範囲規制器Ｅ１（摺動板Ｅ２，Ｅ２、制動凸部Ｅ３，Ｅ３，……）、および、車台枠Ｓ開口左右内縁の前後間中央より立設した縦溝壁（昇降案内器）Ｅ０，Ｅ０からなるものとすることができる。
【００５６】
さらに、図８に示すように、車台枠Ｓ前端左右間中央に立設した支持柱Ｄ３の上端寄り前部に受け枝Ｄ４を設け、同支持柱Ｄ３の上端に、前端に釣合錘Ｄ５を結合したリンクＤ６の中間点を軸着し、同リンクＤ６の後端に、後端を当該昇降ボックスＢ天面上壁中央の連結環Ｂ４に軸着した連結腕Ｄ７の後端を軸着し、昇降駆動装置Ｄ梃レバーＤ０の操作力を軽減可能としたバランス器Ｄ２を設けたものとすることができる。
【００５７】
（実施例３の作用・効果）
以上のとおりの構成からなるこの発明の歩行型エアレーター１２は、図５ないし図８に示すように、走行ハンドルＳ１を作業者が押し引き操作し、車台枠Ｓ車輪Ｓ０，Ｓ０，……を回転して自走するよう運搬移動することが可能なものとなっており、芝生地Ｇのエアレーション対象区域まで移動して停車させた後、回転駆動源Ｍを起動し、回転力分配器８を介し、各従動軸４，４，……各ドリル刃物２，２，……を回転駆動させた上、昇降駆動装置Ｄの保持装置（図示せず）を解除して梃レバーＤ０を前傾するよう倒し、図６に示すように、各ドリル刃物２，２，……を芝生地Ｇに打ち込むようゆっくりと降下させ、掘削孔Ｈ，Ｈ，……を穿孔するよう操作すると、昇降誘導装置Ｅ縦溝壁Ｅ０，Ｅ０，……、昇降範囲規制器Ｅ１，Ｅ１摺動板Ｅ２，Ｅ２、各制動凸部Ｅ３，Ｅ３，……が、降下量を規制して、各掘削孔Ｈ，Ｈ，……を一定の深さに統一可能なものとなる。
【００５８】
昇降誘導装置Ｅ下限位置まで掘削したのを目視確認したら、梃レバーＤ０を後方に起こして昇降ボックスＢを昇降誘導装置Ｅ上限位置まで上昇させ、当該歩行型エアレーター１２を僅かに自走移動させ、再び、梃レバーＤ０を前傾操作して同様の掘削を繰り返すようにすることができ、掘削を中止する場合には、梃レバーＤ０を後方に起こし、昇降ボックスＢを昇降誘導装置Ｅ上限位置まで上昇させた状態に、図示しない保持装置を操作し、梃レバーＤ０を後方引き起こし姿勢のまま仮固定するように操作した上、回転駆動源Ｍを停止することとなる。
【００５９】
図６に示すように、昇降ボックスＢに天板Ｂ３を設けたり、図７および図８に示すように、昇降ボックスＢ自体を有天箱状のものとしたりしたものは、回転駆動源Ｍや回転力分配器８の回転駆動部分を隠蔽し、雨水や落下物などの異物進入を防ぎ機械的トラブルを防止すると共に、巻き込みなどの事故を未然に防止するものとなる。
【００６０】
図８に示すように、バランス器Ｄ２を設けたものは、昇降駆動装置Ｄ梃レバーＤ０の操作力を省力化し、軽く円滑に操作できるものとなり、作業者の労働負担を大幅に軽減することができ、従動軸４，４，……各ドリル刃物２，２，……の掘削開始瞬間の接地衝撃を大幅に軽減し、刃物寿命を延命化するものとなる。
【００６１】
（結  び）
叙述の如く、この発明のエアレーター装置、それを利用した手持ち型エアレーターおよび歩行型エアレーターは、その新規な構成によって所期の目的を遍く達成可能とするものであり、しかも製造も容易で、従前からの作業者の踏み込み力によって固定型刃物を芝生地に打ち込み、掘削する工具類や、大型の歩行型エアレーター技術に比較してボーリング用刃物を回転させて掘削するものとしたから、作業者への労働負担を大幅に軽減することができ、しかも小型・軽量且つ低廉化して遥かに経済的なものとすることができる上、市販のドリル刃物やハンドドリルなどを組み込み可能とし、より一層経済的に導入、利用およびメンテナンス可能なものとすることができるから、従前まで広大な芝生地のエアレーションに多大な労力と経費とを費やしていたゴルフ場やスタジアム、庭園などの芝生管理業界や、多くの顧客から、より効率的なエアレーターの要望を受けてきた芝生管理用機械や工具類などの芝生メンテナンス用品類を取り扱う販売業界、および、ホームセンターなどのハードウェア販売業界はもとより、庭の芝生を手作業によってエアレーション作業する負担に、毎年のように辟易していた一般家庭においても高く評価され、広範に渡って利用、普及していくものになると予想される。                                                  
【符号の説明】
【００６２】
１      エアレーター装置
１１    同  手持ち型エアレーター
１２    同  歩行型エアレーター
２      ドリル刃物（ボーリング用刃物）
２０    同  装着基端
２１    同  取付け孔
２２    同  刃部
３      継ぎ手軸
３０    同  刃物固定器
３１    同  取付け孔
３２    同  取付けピン
３３    同  連結部
４      従動軸
４０    同  被連結部
４１    同  固定端、
５      長さ調節器
５０    同  調節孔（調節部）
５１    同  規制孔（長さ規制部）
５２    同  規制ピン
６      装着枠
６０    同  骨格枠部
６１    同  左右ハンドルバー
６２    同  外装管部
６３    同  一体化機構部
６４    同  主緊締具
６５    同  左右挟着腕
６６    同  緊締ボルト・ナット
６７    同  連結ボルト・ナット
６８    同  補助緊締金具
６９    同  Ｕ字形金具
７      延伸軸
７０    同  固定端
８      回転力分配器
８０    同  ギアボックス
８１    同  主回転伝達部
８２    同  中間歯車
８３    同  従回転部
９      ボーリング案内装置
９０    同  保護板
９１    同  接地プレート
９２    同  通し孔
９３    同  ボーリング深さ規制器
９４    同  縦案内溝孔
９５    同  ネジ孔
９６    同  蝶ネジ
ＨＤ        ハンドドリル（可搬型回転駆動源）
ＤＳ    同  回転駆動軸
Ｃ    同  チャック装置
Ｓ      車台枠
Ｓ０    同  車輪
Ｓ１    同  走行ハンドル
Ｓ２    同  矩形箱状壁
Ｅ      昇降誘導装置
Ｅ０    同  縦溝壁（昇降案内器）
Ｅ１    同  昇降範囲規制器
Ｅ２    同  摺動板
Ｅ３    同  制動凸部
Ｂ      昇降ボックス
Ｂ０    同  上壁
Ｂ１    同  下壁
Ｂ２    同  支持片部
Ｂ３    同  天板
Ｂ４    同  連結環
Ｍ      回転駆動源
Ｍ０    同  出力軸
Ｍ１    同  出力歯車群
Ｍ２    同  主回転伝達部
Ｍ３    同  減速歯車
Ｍ４    同  従回転部
Ｄ      昇降駆動装置
Ｄ０    同  梃レバー
Ｄ１    同  吊り索
Ｄ２    同  バランス器
Ｄ３    同  支持柱
Ｄ４    同  受け枝
Ｄ５    同  釣合錘
Ｄ６    同  リンク
Ｄ７    同  連結腕
Ｇ      芝生地
Ｔ    同  芝生
Ｈ    同  掘削孔
Ｒ    同  掘削屑                                                                                  
【図１】
2016123355.tif 000003
【図２】
2016123355.tif 000004
【図３】
2016123355.tif 000005
【図４】
2016123355.tif 000006
【図５】
2016123355.tif 000007
【図６】
2016123355.tif 000008
【図７】
2016123355.tif 000009
【図８】
2016123355.tif 000010